(57)【要約】【課題】使用者が自分の好みに合う電子レンジの機能を前記ボタンに設定可能にした電子レンジ及びその制御方法を提供する。【解決手段】使用者が特定の電子レンジ機能を設定するため、ボタンを押すと、前記ボタンに対応する電子レンジの機能が設定されたかを判断し、前記ボタンに対応する電子レンジ機能が設定されていないと、使用者が前記ボタンに設定しようとする電子レンジの機能を使用者が選択し得るようにする画面を表示させ、使用者が前記画面で所望の電子レンジ機能を選択したかを判断し、使用者が前記所望の電子レンジ機能を選択すると、前記ボタンに前記所望の電子レンジ機能を設定し、前記ボタンに対応する前記電子レンジの機能が設定されていると、前記ボタンが連続して押されている時間に基づいて前記ボタンに対応する前記所望の電子レンジ機能を削除又は実行する。【選択図】　　　　図３
2004132681.tif 000002
【特許請求の範囲】
【請求項１】
複数の電子レンジ機能が予め記憶されたメモリ部と、
押されると、特定の電子レンジ機能を実行させる複数のボタンと、
使用者がボタンに設定しようとする電子レンジの機能が選択できるようにする画面を有する表示部と、
ボタンが押されると、前記表示部上で選択された所望の電子レンジ機能を実行するため、前記表示部上で選択された機能に応じて所望の電子レンジ機能をボタンに設定する制御部とを含んでなることを特徴とする電子レンジ。
【請求項２】
前記制御部は、ボタンが押されると、前記ボタンに対応する所望の電子レンジ機能が前記メモリ部に設定されているかを判断し、
前記ボタンに対応する所望の電子レンジ機能が設定されていないと判断されると、前記制御部は前記メモリ部に記憶された電子レンジの機能を読み取り、前記機能を前記表示部に表示させ、使用者が前記ボタンに設定される所望の電子レンジ機能を選択し得るようにし、使用者により選択された前記所望の電子レンジ機能を前記ボタンに設定し、
前記ボタンに対応する前記所望の電子レンジ機能が設定されていると判断されると、前記制御部は、ボタンが連続して押されている時間に基づいて前記ボタンに対応する前記所望の電子レンジ機能を削除するか又は実行させることを特徴とする請求項１に記載の電子レンジ。
【請求項３】
前記制御部は、前記ボタンが連続して押されている時間が設定時間より長いか又は同一であると、前記ボタンに対応する前記所望の電子レンジ機能を削除し、前記ボタンが連続して押されている時間が設定時間より短いと、前記ボタンに対応する前記所望の電子レンジ機能を実行させることを特徴とする請求項２に記載の電子レンジ。
【請求項４】
前記メモリ部はＥＥＰＲＯＭを含むことを特徴とする請求項１に記載の電子レンジ。
【請求項５】
前記表示部は、ＬＥＤ装置、ＬＣＤ装置及びＶＦＤ装置のいずれか一つを含むことを特徴とする請求項１に記載の電子レンジ。
【請求項６】
電子レンジの機能選択は前記ボタンにより行われることを特徴とする請求項１に記載の電子レンジ。
【請求項７】
使用者が特定の電子レンジ機能を設定し得るようにするボタンが設けられた電子レンジの制御方法において、
前記ボタンが押されると、前記ボタンに対応する電子レンジの機能が設定されたかを判断する段階と、
前記ボタンに対応する電子レンジ機能が設定されていないと、使用者が前記ボタンに設定しようとする電子レンジの機能を使用者が選択し得るようにする画面を表示させる段階と、
使用者が前記画面で所望の電子レンジ機能を選択したかを判断する段階と、
使用者が前記所望の電子レンジ機能を選択すると、前記ボタンに前記所望の電子レンジ機能を設定する段階と、
前記ボタンに対応する前記電子レンジの機能が設定されていると、前記ボタンが連続して押されている時間に基づいて前記ボタンに対応する前記所望の電子レンジ機能を削除又は実行する段階とを含んでなることを特徴とする電子レンジの制御方法。
【請求項８】
前記所望の機能を削除又は実行する段階は、
前記ボタンが連続して押されている時間をカウントする段階と、
前記ボタンが連続して押されている時間が設定時間より長いか又は同一であるかを判断する段階と、
前記ボタンが連続して押されている時間が設定時間より長いか又は同一であると、前記ボタンに対応する前記所望の電子レンジ機能を削除する段階と、
前記ボタンが連続して押されている時間が設定時間より短いと、前記ボタンに対応する前記所望の電子レンジ機能を実行する段階とを含むことを特徴とする請求項７に記載の電子レンジの制御方法。
【請求項９】
前記所望の機能を削除又は実行する段階は、ＥＥＰＲＯＭを用いて前記所望の機能を削除又は実行することを特徴とする請求項８に記載の電子レンジの制御方法。
【請求項１０】
前記画面を表示させる段階は、ＬＥＤ装置、ＬＣＤ装置及びＶＦＤ装置のいずれか一つを用いて使用者が前記電子レンジ機能を選択し得るように画面を表示させることを特徴とする請求項７に記載の電子レンジの制御方法。
【請求項１１】
電子レンジ内に置かれたアイテムを調理するための高周波を供給する調理部と、
多数の電子レンジ機能が予め記憶されたメモリ部と、
使用者が所望の電子レンジ機能を設定し得るように前記メモリ部及び前記調理部に連結された制御システムとを含んでなり、前記制御システムは、
押されると、特定の電子レンジ機能が実行されるようにする複数のボタンと、使用者が前記ボタンに設定しようとする電子レンジ機能を選択し得るようにする画面を有する表示部と、
ボタンが押されると、前記表示部上で選択された所望の電子レンジ機能が実行されるように、前記表示部上で選択された機能に応じて所望の電子レンジ機能をボタンに設定する制御部とを含んでなることを特徴とする電子レンジ。
【請求項１２】
前記制御部は、ボタンが押されると、前記ボタンに対応する所望の電子レンジ機能が前記メモリ部に設定されているかを判断し、
前記ボタンに対応する所望の電子レンジ機能が設定されていないと判断されると、前記制御部は前記メモリ部に記憶された電子レンジの機能を読み取り、前記機能を前記表示部に表示させ、使用者が前記ボタンに設定される所望の電子レンジ機能を選択し得るようにし、使用者により選択された前記所望の電子レンジ機能を前記ボタンに設定し、
前記ボタンに対応する前記所望の電子レンジ機能が設定されていると判断されると、前記制御部は、ボタンが連続して押されている時間に基づいて前記ボタンに対応する前記所望の電子レンジ機能を削除するか又は実行させることを特徴とする請求項１１に記載の電子レンジ。
【請求項１３】
前記制御部は、前記ボタンが連続して押されている時間が設定時間より長いか又は同一であると、前記ボタンに対応する前記所望の電子レンジ機能を削除し、前記ボタンが連続して押されている時間が設定時間より短いと、前記ボタンに対応する前記所望の電子レンジ機能を実行させることを特徴とする請求項１２に記載の電子レンジ。
【請求項１４】
前記メモリ部はＥＥＰＲＯＭを含むことを特徴とする請求項１１に記載の電子レンジ。
【請求項１５】
前記表示部は、ＬＥＤ装置、ＬＣＤ装置及びＶＦＤ装置のいずれか一つを含むことを特徴とする請求項１１に記載の電子レンジ。
【請求項１６】
電子レンジの機能選択は前記ボタンにより行われることを特徴とする請求項１１に記載の電子レンジ。
【請求項１７】
電子レンジ内に置かれたアイテムを調理するための高周波を供給する調理部と、
ほかの機能として予め用いたボタンに使用者が所望の電子レンジ機能を設定し得るようにするため、前記調理部に連結された管理部とを含んでなることを特徴とする電子レンジ。
【請求項１８】
前記管理部は、
多数の電子レンジ機能が予め記憶されたメモリ部と、
押されると、特定の電子レンジ機能が実行されるようにする多数のボタンと、前記ボタンに使用者が設定しようとする電子レンジの機能を使用者が選択し得るようにする画面を有する表示部と、
前記所望の機能に前記ボタンを設定するために前記ボタンが押されると、前記画面で選択された前記所望の電子レンジ機能が実行されるように、前記表示部上で選択された機能に応じて前記所望の電子レンジ機能を前記ボタンに設定する制御部とを含むことを特徴とする請求項１７に記載の電子レンジ。
【請求項１９】
前記制御部は、ボタンが押されると、前記ボタンに対応する所望の電子レンジ機能が前記メモリ部に設定されているかを判断し、
前記ボタンに対応する所望の電子レンジ機能が設定されていないと判断されると、前記制御部は前記メモリ部に記憶された電子レンジの機能を読み取り、前記機能を前記表示部に表示させ、使用者が前記ボタンに設定される所望の電子レンジ機能を選択し得るようにし、使用者により選択された前記所望の電子レンジ機能を前記ボタンに設定し、
前記ボタンに対応する前記所望の電子レンジ機能が設定されていると判断されると、前記制御部は、ボタンが連続して押されている時間に基づいて前記ボタンに対応する前記所望の電子レンジ機能を削除するか又は実行させることを特徴とする請求項１８に記載の電子レンジ。
【請求項２０】
前記制御部は、前記ボタンが連続して押されている時間が設定時間より長いか又は同一であると、前記ボタンに対応する前記所望の電子レンジ機能を削除し、前記ボタンが連続して押されている時間が設定時間より短いと、前記ボタンに対応する前記所望の電子レンジ機能を実行させることを特徴とする請求項１９に記載の電子レンジ。
【請求項２１】
前記メモリ部はＥＥＰＲＯＭを含むことを特徴とする請求項１８に記載の電子レンジ。
【請求項２２】
前記表示部は、ＬＥＤ装置、ＬＣＤ装置及びＶＦＤ装置のいずれか一つを含むことを特徴とする請求項１８に記載の電子レンジ。
【請求項２３】
電子レンジの機能選択は前記ボタンにより行われることを特徴とする請求項１８に記載の電子レンジ。
【発明の詳細な説明】
【０００１】
【発明の属する技術分野】
本発明は電子レンジ及びその制御方法に係り、より詳しくは使用者が電子レンジの機能ボタンを自分の好みに合って設定できるようにするための電子レンジ及びその制御方法に関するものである。
【０００２】
【従来の技術】
一般に、電子レンジは、熱伝導及び熱輻射などを用いる外部加熱方式の調理器具とは異なり、超高周波により調理を行う装置である。
【０００３】
このような電子レンジは、電装室の前面板の一側に操作盤が設けられ、この操作盤には、使用者から電子レンジの機能を入力するための多数のボタンと、電子レンジの作動状態、設定機能などを表示するための表示窓が設けられている。
【０００４】
前記ボタンのうちには、調理しようとする調理アイテムのためのボタン、開始、選択、取消しなどのように調理アイテムに対する調理進行のためのボタンのほかにも、時間を設定するか、サウンドオン及びオフなどの電子レンジの機能を、使用者の便宜のため、一度の操作で実行させるように設定された機能ボタンが別に設けられている。
【０００５】
しかし、技術発展による消費者の多様な欲求を満たすため、電子レンジの機能が一層多様になるにつれて、このような機能ボタンの数が次第に増加する趨勢にあるが、従来には、機能ボタンが設けられる操作盤上の空間は反対に狭小になる趨勢にあるため、このような機能ボタンを収容することができない問題点がある。
【０００６】
また、従来は、前記機能ボタンに対応する電子レンジの機能が固定されているため、使用者がこのような機能ボタンに対し自分に好みに合うほかの電子レンジの機能で取り替えることができない問題点がある。
【０００７】
【発明が解決しようとする課題】
したがって、本発明の目的は、電子レンジの機能に対して固定された機能ボタンを使用者が任意に再設定できるようにする電子レンジ及びその制御方法を提供することにある。
【０００８】
本発明のほかの目的は、電子レンジの機能を使用者が任意に設定するための別のボタンを設け、使用者が自分の好みに合う電子レンジの機能を前記ボタンに設定可能にした電子レンジ及びその制御方法を提供することにある。
【０００９】
【課題を解決するための手段】
前記目的を達成するため、本発明は、複数の電子レンジ機能が予め記憶されたメモリ部と、押されると、特定の電子レンジ機能を実行させる複数のボタンと、使用者がボタンに設定しようとする電子レンジの機能が選択できるようにする画面を有する表示部と、ボタンが押されると、前記表示部上で選択された所望の電子レンジ機能を実行させるため、前記表示部上で選択された機能に応じて所望の電子レンジ機能をボタンに設定する制御部とを含んでなる電子レンジを提供する。
【００１０】
また、本発明は、使用者が特定の電子レンジ機能を設定し得るようにするボタンが設けられた電子レンジの制御方法において、前記ボタンが押されると、前記ボタンに対応する電子レンジの機能が設定されたかを判断する段階と、前記ボタンに対応する電子レンジ機能が設定されていないと、使用者が前記ボタンに設定しようとする電子レンジの機能を使用者が選択し得るようにする画面を表示させる段階と、使用者が前記画面で所望の電子レンジ機能を選択したかを判断する段階と、使用者が前記所望の電子レンジ機能を選択すると、前記ボタンに前記所望の電子レンジ機能を設定する段階と、前記ボタンに対応する前記電子レンジの機能が設定されていると、前記ボタンが連続して押されている時間に基づいて前記ボタンに対応する前記所望の電子レンジ機能を削除又は実行する段階とを含んでなる電子レンジの制御方法を提供する。
【００１１】
【発明の実施の形態】
以下、本発明の好ましい実施例を添付図面に基づいて詳細に説明する。
【００１２】
図１は本発明による電子レンジを説明する制御ブロック図である。同図に示すように、本発明による電子レンジは、電子レンジの機能を使用者の好みに合うように設定可能にするマイボタン１１と、電子レンジの機能が固定された機能固定ボタン１２とを含み、使用者から当該ボタンの入力ができるようにするキー入力部１０を含む。
【００１３】
また、本発明による電子レンジは、前記マイボタン１１及び機能固定ボタン１２が押されることにより実現される電子レンジの機能が記憶されたメモリ部３０をさらに含む。前記メモリ部３０はＥＥＰＲＯＭ（Ｅｌｅｃｔｒｉｃａｌｌｙ　Ｅｒａｓａｂｌｅ　ａｎｄ　Ｐｒｏｇｒａｍｍａｂｌｅ　ＲＯＭ）からなる。このメモリ部３０には、機能固定ボタン１２に対応する電子レンジの機能だけでなく、前記マイボタン１１に使用者が任意に設定できるように複数の電子レンジ機能が記憶されている。機能固定ボタン１２に対応する電子レンジの機能には、例えば、電子レンジの出力パワー調節、調理時間設定、待機などがある。また、マイボタン１１に使用者により設定される電子レンジの機能には、例えば、時間設定のための“時間（ＣＬＯＣＫ）”、使用者による調理のための“マイ調理（ＣＵＳＴＯＭ）”、自動に再加熱させるための“自動再加熱（ＲＥＨＥＡＴＩＮＧ）”、自動に除霜を行うための“自動除霜（ＤＥＦＲＯＳＴ）”などがあり、そのほかにも、調理開始を遅延させるための“遅延開始（ＤＥＬＡＹ＿Ｓ）”、一定の分ずつ時間を増加させるための“時間増加（−ＭＩＮ）”、微小時間を増減させるための“微小時間増減（＋／−）”などがある。
【００１４】
また、本発明による電子レンジは、前記メモリ部３０に記憶された電子レンジの機能のいずれか一つを選択してもらうための画面を表示させる表示部４０と、全般の制御動作を行う制御部２０とを含む。前記表示窓部４０は、例えば、ＶＦＤ（Ｖａｃｕｕｍ　Ｆｌｕｏｒｅｓｃｅｎｔ　Ｄｉｓｐｌａｙ）、ＬＥＤ（Ｌｉｇｈｔ　Ｅｍｉｔｔｉｎｇ　Ｄｉｏｄｅ）、ＬＣＤ（Ｌｉｑｕｉｄ　Ｃｒｙｓｔａｌ　Ｄｉｓｐｌａｙ）などのような表示装置からなり得る。
【００１５】
前記制御部２０は、キー入力部１０を介して入力された、使用者からの当該ボタンの命令に相応する電子レンジの機能をメモリ部３０に記憶された電子レンジのいろいろの機能の中から読み出し、読み出された電子レンジの機能を使用者が操作できるように前記表示部４０に表示させるための制御を行う。そして、キー入力部１０に設けられたマイボタン１１が押されると、制御部２０はメモリ部３０上の使用者によるマイボタン設定のための電子レンジの機能を表示部４０に表示させるように制御し、表示された電子レンジの機能のいずれか一つが選択された場合、選択された電子レンジの機能をマイボタン１１に対応して設定する。
【００１６】
以下、図１に示すマイボタン、機能固定ボタン、表示部が実際適用される例を説明する。
【００１７】
図２は本発明が適用される電子レンジの操作盤の正面図である。同図に示すように、電子レンジの操作盤上には、電子レンジの作動状態、予め記憶された電子レンジの機能などを表示するための表示部４０の表示窓１と、使用者からの入力を受けるためのボタンとが設けられている。
【００１８】
図２において、前記ボタンには、使用者の所望の電子レンジの機能が任意に設定できるようにするための三つのマイボタン１１と、各ボタンごとに電子レンジの機能が予め固定されて設定された七つの機能固定ボタン１２と、調理開始又は進行のための開始ボタンとが含まれる。
【００１９】
図３は図１の電子レンジの制御方法を示す制御流れ図である。図２及び図３に示すように、制御部２０は、キー入力部１０に設けられたマイボタン１１が押されたかを判断する（Ｓ１００）。段階Ｓ１００において、マイボタン１１が押されると、制御部２０はメモリ部３０をスキャンして、前記マイボタン１１に対応する電子レンジの機能が既に設定されているかを確認する（Ｓ１１０）。
【００２０】
段階Ｓ１１０において、マイボタン１１に対応する電子レンジの機能が設定されていない場合、制御部２０は、使用者が設定しようとする電子レンジの機能を選択してもらうため、メモリ部３０に記憶された電子レンジの機能を表示部４０に表示させるように制御する（Ｓ１２０）。したがって、使用者は設定しようとする電子レンジの機能を選択する。機能選択は、一例として、表示部４０がＶＦＤである場合、使用者がマイボタン１１を引き続き押すと、“調理時間（ＣＬＯＣＫ）”、“調理タイマー（ＴＩＭＥＲ）”、“サウンド（ＳＯＵＮＤ）”などの順に電子レンジの機能がスクロールされる。表示部４０にサウンド（ＳＯＵＮＤ）が表示された後、一定の時間が経過すると、開始ボタンが点滅する。この際、使用者が開始ボタンを押して“サウンド（ＳＯＵＮＤ）”を選択する。
【００２１】
その後、制御部２０は、マイボタン１１に設定しようとする電子レンジの機能が選択されたかを判断する（Ｓ１３０）。段階Ｓ１３０において、電子レンジの機能が選択されると、制御部２０は、選択された電子レンジの機能に対し、前記マイボタン１１に対応してメモリ部３０に記憶させるように制御する（Ｓ１４０）。したがって、選択された所望の電子レンジの機能がマイボタン１１に設定される。一つのマイボタン１１に対して機能設定が完了すると、制御部２０は、ほかのマイボタン１１に対しても同一の方法で設定する。
【００２２】
一方、段階Ｓ１１０において、マイボタン１１に対応する電子レンジの機能が既に設定されている場合、制御部２０はマイボタン１１が連続して押されている時間をカウントする（Ｓ１２１）。そして、制御部２０は、カウントされた時間と予め設定された時間とを比較し、カウントされた時間が予め設定された時間、例えば３秒より短いかを判断する（Ｓ１３１）。段階Ｓ１３１において、カウントされた時間が予め設定された時間より長いか又は同一である場合、制御部２０は、押されたマイボタン１１に対応する電子レンジの機能をメモリ部３０から削除させる（Ｓ１４２）。
【００２３】
一方、段階Ｓ１３１でカウントされた時間が予め設定された時間より短い場合、制御部２０は従来の機能ボタンの操作と同様、使用者の操作によって設定された電子レンジの機能を行う（Ｓ１４１）。例えば、マイボタン１１に設定された電子レンジの機能を次のように行われる。表示部４０がＶＦＤを含む場合、前記マイボタンに対応して設定された“サウンド（ＳＯＵＮＤ）”を表示する。２秒後、“サウンドオン又はオフを設定してください（ＳＥＴ　ＴＨＥ　ＳＯＵＮＤ　ＯＮ／ＯＦＦ）”のメッセージを表示する。使用者がマイボタン１１を一度押すと、“サウンドオン（ＳＯＵＮＤ　ＯＮ）”のメッセージがスクロールされる。仮に、“サウンドオフ（ＳＯＵＮＤ　ＯＦＦ）”を設定しようとする場合は、マイボタン１１を二回押す。２秒間に何の操作もないと、“開始ボタンを押してください（ＰＲＥＳＳ　ＳＴＡＲＴ　ＢＵＴＴＯＮ）”がスクロールされる。使用者が開始ボタンを押すと、“サウンドオン（ＳＯＵＮＤ　ＯＮ）”が設定される。
【００２４】
電子レンジの調理部（図示せず）は電子レンジ内に置かれたアイテムを調理するための高周波を供給する。
【００２５】
本発明の電子レンジは、電子レンジ内に置かれたアイテムを調理するための高周波を供給する調理部と、多数の電子レンジの機能が予め記憶されたメモリ部と、使用者による所望の電子レンジ機能の設定ができるようにするため、前記メモリ部に連結された制御システムとを含む。前記制御システムは、押されることにより特定の電子レンジ機能が行われるようにする多数のボタンと、使用者がボタンに設定しようとする電子レンジ機能を選択可能にする画面を有する表示部と、前記ボタンに所望の機能を設定するためにボタンが押されると、表示部上で選択された機能に応じて前記ボタンに所望の電子レンジ機能を設定して、画面で選択された前記所望の電子レンジ機能が行われるようにする制御部とを含む。
【００２６】
また、本発明の電子レンジは、電子レンジ内に置かれたアイテムを調理するための高周波を供給する調理部と、使用者が所望の電子レンジ機能を選択し得るようにする管理部とを含む。前記管理部は、多数の電子レンジ機能が予め記憶されたメモリ部と、押されると、特定の電子レンジ機能が実行されるようにする多数のボタンと、使用者がボタンに設定しようとする電子レンジ機能を選択可能にする画面を有する表示部と、前記ボタンに所望の機能を設定するためにボタンが押されると、表示部上で選択された機能に応じて前記ボタンに所望の電子レンジ機能を設定して、画面で選択された前記所望の電子レンジ機能が行われるようにする制御部とを含む。
【００２７】
【発明の効果】
以上説明したように、本発明による電子レンジ及びその制御方法は、多様な電子レンジの機能を所定数の機能ボタンに選択的に設定可能にする。
【００２８】
また、本発明による電子レンジ及びその制御方法は、使用者が機能ボタンに対して不要な電子レンジの機能を排除し、使用者が所望の電子レンジ機能のみを迅速で容易に実行することができる。
【図面の簡単な説明】
【図１】本発明による電子レンジの制御ブロック図である。
【図２】操作盤を含む図１の電子レンジの正面図である。
【図３】図１の電子レンジの制御方法を示す制御流れ図である。
【符号の説明】
１　表示窓
１０　キー入力部
１１　マイボタン
１２　機能固定ボタン
３０　メモリ部
４０　表示部
【図１】
2004132681.tif 000003
【図２】
2004132681.tif 000004
【図３】
2004132681.tif 000005